(57)【要約】      （修正有）【課題】  携帯電話機の機種交換を行う際に販売店に足を運ぶ必要がない。【解決手段】機種変更受付端末、現携帯電話機、新携帯電話機、現携帯電話機と新携帯電話機との直接接続手段、例えばケーブルと、を有している。現携帯電話機は、公衆ネットワークを介して機種変更受付端末に接続される。現携帯電話機と新携帯電話機とがケーブル接続された状態において電話番号を変えずに新携帯電話機へ機種変更できる。ユーザは現携帯電話機接続状態において現携帯電話機を操作して新携帯電話機への機種変更処理を実施する。公衆ネットワークと内部ネットワークとに接続される交換機は、通話を行う際に、電話番号と携帯電話機固有の鍵情報とに基づいて、携帯電話機を通話可能とする。機種変更受付端末は、内部ネットワークを経由して交換機へ接続され、現携帯電話機を通話不可能な状態にしたり、新携帯電話機を通話可能な状態にするための要求を交換機へ送信したりする。【選択図】  図１
2006050427.tif 000002
【特許請求の範囲】
【請求項１】
固有の識別ＩＤによりそれぞれが識別可能な現携帯電話機から新携帯電話機への機種変更システムであって、
携帯電話網事業者側において管理される機種変更受付端末であって、前記現携帯電話機からの前記識別ＩＤを提示しての機種変更要求に応じて、該識別ＩＤに基づいて前記現携帯電話機上でのみ動作する電話番号書き込み用の専用プログラムを作成する機種変更受付端末を有し、
前記機種変更受付端末から前記専用プログラムを取得し該専用プログラムにより前記現携帯電話機において使用していた電話番号に基づく通話機能を前記現携帯電話機から前記新携帯電話機へ移行する処理を行うことを特徴とする機種変更システム。
【請求項２】
前記通話機能の移行は、前記現携帯電話機と前記新携帯電話機とを直接接続した状態で行われることを特徴とする請求項１に記載の機種変更システム。
【請求項３】
携帯電話網事業者側において管理され、固有の識別ＩＤによりそれぞれが識別可能な現携帯電話機から新携帯電話機への機種変更を受け付ける機種変更受付端末であって、
前記現携帯電話機からの前記識別ＩＤを提示しての機種変更要求を受け付ける機種変更受付部と、
該機種変更受付部からの通知に応じて、前記識別ＩＤに基づいて前記現携帯電話機上でのみ動作する電話番号書き込み用の専用プログラムであって、前記現携帯電話機において使用していた電話番号に基づく通話機能を前記現携帯電話機から前記新携帯電話機へ移行する処理を行うためのプログラムを作成する電話番号書き込みプログラム作成部と、
作成した前記電話番号書き込みプログラムを前記現携帯電話機に送る送信部と
を有する機種変更受付端末。
【請求項４】
さらに、
該機種変更受付部からの通知に応じて、前記識別ＩＤに基づいて前記現携帯電話機上でのみ動作するメモリデータ移行用の専用プログラムを作成するメモリデータ移行プログラム作成部と、
作成したメモリデータ移行プログラムを前記現携帯電話機に送る送信部と
を有する請求項３に記載の機種変更受付端末。
【請求項５】
現携帯電話機から新携帯電話機への電話網事業者側において管理される機種変更受付端末を介しての機種変更方法であって、
前記現携帯電話機と前記新携帯電話機とを直接接続するステップと、
前記現携帯電話機から前記機種変更受付端末に対して前記識別ＩＤを提示して機種変更要求を行うステップと、
該機種変更要求に応じて、前記識別ＩＤに基づいて前記現携帯電話機上でのみ動作する電話番号書き込み用の専用プログラムを作成するステップと、
該専用プログラムを前記現携帯電話機に送信するステップと、
送信された前記専用プログラムに基づいて前記現携帯電話機において使用していた電話番号に基づく通話機能を前記現携帯電話機から前記新携帯電話機へ移行する処理を行うステップと
を有することを特徴とする機種変更方法。
【発明の詳細な説明】
【技術分野】
【０００１】
本発明は、携帯電話機の機種変更システムに関する。尚、本明細書においては、「携帯電話機」とは、一般の携帯電話機の他、ＰＨＳ（簡易型携帯電話機）、携帯情報端末も含まれるものとする。携帯電話機のうち、使用者が現在使用している携帯電話機を「現携帯電話機」と称し、機種変更を行う新しい携帯電話機を「新携帯電話機」と称する。
【背景技術】
【０００２】
携帯電話業界においては、技術の急速な進歩や各携帯電話網事業者のユーザ獲得のため、新しい機能を持つ新機種が毎月のように発売されている。そのため、携帯電話機ユーザが現在使用している電話番号を変えずに機種のみを変更する機種交換の需要が高まっている。現在の携帯電話業界では、使用している電話番号を変更せずに機種交換を行うには、同一の携帯電話網事業者の機種でなければならないため、それぞれの携帯電話網事業者にとっては、ユーザ維持のため機種交換を行うに当たってユーザの利便性を高めることは重要な課題となっている。
【０００３】
従来の携帯電話機機種交換のための技術として、例えば、下記特許文献１に記載のものが知られている。下記特許文献１に記載の技術は、ユーザが機種交換を行うにあたって販売店まで足を運ばずに機種交換を行うための技術である。具体的には、パーソナルコンピュータや携帯情報端末などのユーザ端末と、携帯電話網事業者端末及び現在使用している携帯電話機を、ネットワークを介して接続し、最初にユーザ端末から携帯電話網事業者端末に対し機種変更の注文を行う。その際に、携帯電話網事業者端末からユーザ端末に対して注文者識別情報を送信する。ユーザは、注文者識別情報を現在使用している携帯電話機を使用して携帯電話網事業者端末へ送信し、注文者と携帯電話の使用者が同一であることの確認を行う。
【０００４】
確認が取れた場合は、携帯電話網事業者は注文された新携帯電話機へ電話番号を書き込む等の処理を行った後、新携帯電話機をユーザへ宅配便等により送付する。ユーザ側では、新携帯電話を受領した後、現携帯電話機を使用して携帯電話網事業者端末へアクセスし、受領確認と現携帯電話機のメモリ内データを送信する。携帯電話網事業者側端末では、受領確認後、新携帯電話機を通話可能に変更すると共に、既に送信されている現携帯電話機のメモリデータを新携帯電話機へ送信し、機種変更処理を完了する。
【特許文献１】特開２００１−３５９１６０号公報
【発明の開示】
【発明が解決しようとする課題】
【０００５】
しかしながら、上記特許文献１に記載の技術では、ユーザの利便性という観点から見るといくつかの問題がある。まず機種変更に必要な作業については、上記特許文献１の技術では、１）ユーザ端末を使用した注文、２）現携帯電話機を使用した確認、３）宅配便等を使用した新携帯電話機の送付、４）現携帯電話機を使用した受領確認、５）新携帯電話機を使用したメモリデータの受信、というそれぞれのステップを踏む必要がある。
【０００６】
また、新携帯電話機の入手経路としては、上記特許文献１に記載の技術では、他の方法で入手した携帯電話機に機種変更することはできない。一般に携帯電話機の購入価格として、新規加入の場合の価格に比べて機種変更の場合の価格は高く、ユーザにとって機種変更を行う際のデメリットの１つとなっている。そのため、携帯電話機に電話番号の書き込まれていない、書き込み前の携帯電話機、すなわち、工場出荷時の状態の携帯電話機があり、ユーザはこれらを販売店で購入し、携帯電話網事業者の代理店で機種変更を行うこともできるが、上記特許文献の方法では、この書き込み前の携帯電話機への機種交換ができない。
【０００７】
本発明の目的は、携帯電話機の機種交換に当たってのユーザ利便性を向上させるとともに、携帯電話機の入手経路によらず機種変更が可能な携帯電話機機種交換システムを提供することである。
【課題を解決するための手段】
【０００８】
本発明に係る携帯電話機の機種変更システムは、携帯電話網事業者端末と現携帯電話機とがインターネットなどのネットワークを介して接続可能とされる。また、現携帯電話機と新携帯電話機とがケーブルを介して接続された状態で、電話番号を変えずに現携帯電話機から新携帯電話機へ機種変更するためのものである。このような接続状態において、まず、携帯電話の機種変更を行いたいユーザは、現在使用している携帯電話機を使用して携帯電話網事業者端末へ接続し、機種変更を行う旨の依頼を行う。その際に、機種変更を依頼するユーザが、現携帯電話機を契約しているユーザであることを確認してもらうため、現携帯電話機の契約時に契約者本人が設定したパスワード、契約者の住所、生年月日等によりユーザの確認を行う。
【０００９】
尚、携帯電話機は、通話を行うにあたって、携帯電話の電話番号の他に、携帯電話機固有の識別情報を使用しても良い。これらの情報は、携帯電話網事業者において管理されているため、携帯電話網事業者端末では、現在接続されている携帯電話機を特定することが可能である。入力された情報が当該携帯電話機固体の契約者情報と一致すると、機種変更依頼者と携帯電話機契約者とが同じ人物である旨の承認を行うことが可能である。
【００１０】
機種変更依頼者の認証が行われると、携帯電話網事業者端末は、現携帯電話機に対して機種変更処理を行う現携帯電話機専用のプログラムを送信する。ここで専用プログラム送信時の通信及びその後の携帯電話網事業者端末と現携帯電話機との通信時の暗号化方式として、現携帯電話機固有の識別情報を鍵とした暗号化を行う。この方法は、既知の公開鍵方式や秘密鍵方式に比して、事前に鍵情報を携帯電話機上に配布しておく必要がなく、また、携帯電話機の識別情報は全ての携帯電話機上で一意に定められている情報であり、その情報は携帯電話網事業者と当該携帯電話機上にのみ存在しているため、極めて高い秘匿性を有する暗号化を行うことができる。
【００１１】
また、専用プログラムが現携帯電話機上で正常動作するためのキー情報として、現携帯電話機固有の識別情報を使用する。一般に携帯電話機の機種変更処理方法は極めて高い秘匿性を要求される処理であり、何らかの方法でネットワーク上を流れるプログラムを入手し、他の携帯電話機上で使用されることがあってはならない。そこで、携帯電話網事業者端末から現携帯電話機へ専用プログラムを送信する際に、専用プログラム上に特定の識別情報を持つ携帯電話機上でのみ動作するように設定することにより、機種変更依頼を行った現携帯電話機においてのみ専用プログラムが動作するようにできる。現携帯電話機に送信された専用プログラムによって、現携帯電話機とケーブル接続された新携帯電話機と通信が行われ新携帯電話機の識別情報を取得して携帯電話網事業者端末へ送信する。
【００１２】
携帯電話網事業者端末では、送信された新携帯電話機の識別情報より、当該携帯電話機が現在通話不可能であることを確認し、現携帯電話機上のプログラムに対し、電話番号書き込みの承認を行う。承認が行われると、現携帯電話機上のプログラムは、新携帯電話機へ現携帯電話機の電話番号の書き込みを行い、書き込みが正常に終了したことを確認した後に、携帯電話網事業者端末へ書き込み完了の通知を行う。
【００１３】
携帯電話網事業者端末では、書き込み完了の通知を受信後、現携帯電話機上のメモリデータを新携帯電話機上のメモリへ移行するプログラムを送信する。送信するプログラムは、現携帯電話機の識別情報と、新携帯電話機の識別情報からそれぞれの携帯電話機の機種を特定し、最適なデータ移行プログラムを選択し、携帯電話網事業者端末から現携帯電話機へ送信する。現携帯電話機では、送信されたメモリデータ移行プログラムを使用して、メモリ上の電話帳データや、メール情報、壁紙や着信音等の移行可能なデータを新携帯電話機上のメモリへ書き込む。
【００１４】
メモリ上のデータ書き込みが完了した後、現携帯電話機上のプログラムは、携帯電話網事業者端末へ機種変更処理の終了通知を行う。携帯電話網事業者端末では、現携帯電話機上のプログラムから機種変更処理終了の通知を受信後、交換機に対して現携帯電話機から新携帯電話機への切り替え依頼を行う。交換機側での切り替え処理が終了後、携帯電話網事業者端末は切り替え処理終了通知を、新携帯電話機へメール等で通知し、機種変更処理の完了とする。
【発明の効果】
【００１５】
本発明によれば、機種交換が可能な携帯電話機を入手すれば、携帯電話網事業者の代理店等に行かなくても、時と場所を選ばずに機種交換を行うことが可能となり、ユーザの利便性を極めて高くすることが出来る。また、自由度の高い機種交換方法が提供されることにより、ユーザの機種交換意欲も高まり、携帯電話機の流通が活発になる。さらに、プログラムの携帯電話機上での実行時や通信時において、携帯電話機固有の識別情報を使用した暗号化を行うことによって、携帯電話機の識別情報や機種交換に当たっての処理方式の秘匿性を極めて高く設定することが可能となる。
【発明を実施するための最良の形態】
【００１６】
本明細書において、「識別情報」とは製造番号もしくは鍵情報のどちらかを指すものとする。現携帯電話機とは、今まで使用していたが機種変更により使わなくなる携帯電話機であり、新携帯電話機とは、今まで使用していなかったが機種変更によりこれから使用するようになる携帯電話機である。販売店等で購入した電話番号の付与されていない新しい携帯電話機、或いは、他人が既に別の携帯電話機へ機種変更を行った後の不要となった携帯電話機など、現在通話不可能となっている携帯電話機を指す。
【００１７】
以下、本発明の一実施の形態による機種交換システムについて図面を参照しつつ具体的に説明する。図１は、本実施の形態による機種変更システムの一構成例を示す機能ブロック図である。尚、携帯電話網事業者の端末を、ここでは機種変更受付端末と称する。本実施の形態における機種変更システムは、機種変更受付端末１と、現携帯電話機２と、新携帯電話機３と、現携帯電話機２と新携帯電話機３と直接的に接続する接続手段、例えばケーブル３０と、を有している。尚、直接的に接続する（以下、「直接接続」と称する。）とは、例えばパーソナルコンピュータなどの処理装置を介さずにケーブル又は無線通信などにより現携帯電話機２と新携帯電話機３とがダイレクトに通信できる状態にすることを意味する。
【００１８】
上記機種変更システムにおいて、現携帯電話機２は、例えば公衆ネットワーク１００を介して機種変更受付端末１に接続される。また、現携帯電話機２と新携帯電話機３とがケーブル３０を介して接続された状態において電話番号を変えずに現携帯電話機２を新携帯電話機３へ機種変更することができる。ユーザ２０は現携帯電話機２を使用しており、図１に示す接続状態において現携帯電話機２を操作することにより現携帯電話機２から新携帯電話機３への機種変更処理を実施する。尚、公衆ネットワーク１００と内部ネットワーク１１０とに接続される交換機４は、携帯電話機により通話を行う際に、電話番号と携帯電話機固有の鍵情報とに基づいて、携帯電話機を通話可能とする装置である。機種変更受付端末１は、内部ネットワーク１１０を経由して交換機４へ接続され、現携帯電話機２を通話不可能な状態にしたり、新携帯電話機３を通話可能な状態にするための要求を交換機４へ送信したりする。
【００１９】
現携帯電話機２及び新携帯電話機３は、一般的な携帯電話機であり、他の携帯電話との間で基地局などを介して無線により通信を行うための通信部と、各種データやプログラムを格納する記憶部（メモリ）と、種々の操作を行うための操作部と、ケーブル３０を接続することにより有線によりデータの移行を行うことができるとともに、充電用ケーブルにより電源と接続することによりバッテリを充電することもできるインターフェイス部と、表示を行うための表示部と、全体を制御しプログラムに基づく処理も行う制御部（ＣＰＵ）と、を有している。
【００２０】
現携帯電話機２及び新携帯電話機３は、それぞれ、携帯電話機固有の識別情報として製造番号と鍵情報とを上記記憶部内に記憶する。現携帯電話機２の製造番号を製造番号１１、新携帯電話機３の製造番号を製造番号１３とし、現携帯電話機２の鍵情報を鍵情報１２、新携帯電話機の鍵情報を鍵情報１４として以下に説明を行う。
【００２１】
機種変更受付端末１は、契約者情報データベースＤＢ１と、携帯電話機固有情報データベースＤＢ２と、配信プログラム格納データベースＤＢ３と、のデータベース群を有している。さらに、機種変更依頼者承認部６と、電話番号書き込みプログラム作成部７と、新携帯電話機確認部８と、メモリデータ移行プログラム選択部９と、機種変更受付部５と、を有している。機種変更受付部５は、公衆ネットワーク１００を経由して現携帯電話機２と接続可能とされ、現携帯電話機２からの機種変更要求を受け付け後続の処理を呼び出し現携帯電話機２とのデータ送受信においてデータの暗号化を行う機能を有する。機種変更依頼者承認部６は、現携帯電話機２から送信された機種変更要求を行うユーザの入力情報を元に、携帯電話契約者の個人情報が登録されている契約者情報ＤＢ１を利用してユーザ２０の機種変更処理を承認する。電話番号書込プログラム作成部７は、現携帯電話機２から送信される現携帯電話機２の製造番号１１と、それを元に移動機固有情報ＤＢ２から取得する現携帯電話機２の鍵情報１２と、配信プログラム格納ＤＢ３から取得する電話番号書込プログラムと、を用いて現携帯電話機２の制御部（ＣＰＵ）でのみ動作可能な電話番号書込プログラムを作成する。
【００２２】
新携帯電話機確認部８は、現携帯電話機２へ送信された電話番号書込プログラムが、ケーブル３０を介して接続された新携帯電話機３から取得した製造番号１３を元に契約者情報ＤＢ１を利用して新携帯電話機３が現在通話不可能な携帯電話機であることを確認し、携帯電話機固有情報ＤＢ２から新携帯電話機３の鍵情報１４を取得する処理を行う。メモリデータ移行プログラム選択部９は、現携帯電話機２から送信される現携帯電話機２の製造番号１１と新携帯電話機３の製造番号１３とを元に携帯電話機固有情報ＤＢ２を利用して取得できる現携帯電話機２と新携帯電話機３との機種名に基づいて、配信プログラム格納ＤＢ３からメモリデータ移行プログラムを取得する。
【００２３】
図２Ａ及び図２Ｂは、図１に示す機種変更システムを利用して現携帯電話機２から新携帯電話機３への機種変更を行う際の動作を示すフローチャート図である図１も参照しつつ説明を行う。本実施の形態による機種変更システムでは、ユーザ２０は現携帯電話機２を操作することにより機種変更受付端末１へ公衆ネットワーク１００を介してアクセスする（Ｓ２０１）。これに応答して、機種変更受付端末１上の機種変更受付処理部５は、機種変更受付画面を表示しユーザ２０の契約者情報の入力を促す（Ｓ２０２）。ユーザ２０は現携帯電話機２を操作し現携帯電話機２に関する契約を行った際に申請した契約者情報を入力する（Ｓ２０３）。尚、契約者情報とは、例えば、契約者の氏名や契約者の住所、契約がクレジットカードによるものであれば、クレジットカード番号、契約時に申請したパスワードなど正当な契約者であることを確認する情報である。契約者情報を入力すると、機種変更受付処理部５は、契約者情報（Ｄ１０）をパラメータとして機種変更依頼者承認処理部６を呼び出し、機種変更依頼者承認処理部６は契約者情報ＤＢ１内の情報を利用して機種変更依頼者であるユーザ２０が契約者本人であるか否かの確認処理と確認がとれた場合の承認処理とを行う（Ｓ２０４）。
【００２４】
図３は、契約者情報ＤＢ１の構成例を示す図である。契約者情報ＤＢ１は携帯電話網事業者における携帯電話契約者の個人情報が管理されているテーブルである。電話番号３００は携帯電話機の電話番号であり、契約者氏名３１０、契約者住所３２０、パスワード３３０は契約者の個人情報の一例である。また携帯電話契約者が現在使用している携帯電話機の製造番号３４０と、契約者の過去の通話料金支払情報３５０とを管理する。Ｓ２０４では、パラメータとして機種変更受付処理５から引き渡される契約者情報の中の電話番号を検索キーとして（Ｄ１０）、契約者情報ＤＢ１から契約者個人情報を取得し（Ｄ２０）、比較を行うことによってユーザ２０が現携帯電話機２の契約者本人であることの承認処理を行う。比較判定の結果（Ｓ２０５）、契約者本人と認められた場合は（ＹＥＳ）次の処理へ進む（ステップＳ２０７）。入力された契約者情報（Ｄ１０）と契約者情報ＤＢ１で管理され取得された情報（Ｄ２０）とが一致しない場合は、現携帯電話機２へエラーを送信し機種変更処理は完了しないままで終了する（Ｓ２０６）。Ｓ２０５にて問題がなかった場合は、機種変更受付部５は、現携帯電話機２の製造番号１１をパラメータとして（Ｄ３０）電話番号書込プログラム作成部７を起動する（Ｓ２０７）。
【００２５】
図４は、携帯電話機固有情報ＤＢ２の構造を示している。携帯電話機固有情報ＤＢ２は携帯電話網事業者が管理する携帯電話機の固有情報テーブルである。製造番号４００は携帯電話機の固有情報の一つであり、携帯電話機の製造時に一意に付けられる番号であり、鍵情報４１０は携帯電話機の固有情報の一つであり、携帯電話機へ電話番号を書き込む際や、携帯電話機を使用して通話を行う際に交換機４においてチェックされる情報である。それぞれの携帯電話機の機種名４２０も管理されている。
【００２６】
図５は、配信プログラム格納ＤＢ３の構造を示す図である。配信プログラム格納ＤＢ３には、機種変更処理を行う際に現携帯電話機２へ送信するプログラムをオブジェクトとして管理されるデータが例えばテーブル形式により格納されており、処理目的を示すプログラム名５００と、メモリデータを移行する際の現携帯電話機２の機種名である移行元機種名５１０と、新携帯電話機３の機種名である移行先機種名５２０と、それぞれのプログラム本体をオブジェクトとして格納するプログラム本体５３０と、を有するテーブルである。
【００２７】
Ｓ２０７では、パラメータとして渡された（Ｄ３０）現携帯電話機２の製造番号１１（図１）（識別ＩＤ）をキーとして携帯電話機固有情報ＤＢ２から現携帯電話機２の鍵情報４１０を取得し（Ｄ４０）、また、配信プログラム格納ＤＢ３から電話番号書込プログラムを取得し（Ｄ５０）、現携帯電話機２上でのみ動作可能な電話番号書込用の専用プログラムに変換し、この専用プログラムを現携帯電話機２へ送信する（Ｓ２０８）。
【００２８】
尚、この電話番号書込用の専用プログラムを送信する際及びその後のプログラムと機種変更受付端末との間の通信において、現携帯電話機２の鍵情報１２をキーとした暗号化通信を行うのが好ましい。携帯電話機の鍵情報は外部から読み出すことができず、この情報を暗号化のキーとして使用することにより、極めて高い通信の秘匿性を保つことが可能である。現携帯電話機２上へ送信された電話番号書込プログラムが動作すると、インターフェイスに接続されたケーブル３０を介して現携帯電話機２上に接続された新携帯電話機３へアクセスして新携帯電話機３の製造番号１３を取得し（Ｓ２０９）、新携帯電話機３の製造番号１３を機種変更受付端末１へ通知する（Ｓ２１０）。
【００２９】
機種変更受付部５では、受信した新携帯電話機３の製造番号１３をパラメータとして新携帯電話確認部８を呼び出し（Ｄ６０、Ｓ２１１）、契約者情報ＤＢ１を、製造番号１３を使用して検索し、検索結果を取得する（Ｄ７０）とともに、携帯電話機固有情報ＤＢ２を検索し、新携帯電話機３の鍵情報１４を取得する（Ｄ８０）。図２Ｂに示すＳ２１２において、Ｄ７０の検索結果を判定し、新携帯電話機３が現在通話不可能（契約者が存在しない）であることが確認された場合は後続の処理へ進む。新携帯電話機３が、現在他のユーザにより契約されていたり、他の携帯電話網事業者の機種だった（Ｄ８０において固有情報が取得できなかった）場合は、現携帯電話機２へエラーを送信して機種変更処理を終了する（Ｓ２１３）。
【００３０】
Ｓ２１２の判定結果が問題なかった場合は、新携帯電話機３の鍵情報１４を現携帯電話機２へ送信する（Ｓ２１４）。現携帯電話機２上の電話番号書込プログラムは、新携帯電話機３の鍵情報１４を使用して現携帯電話機２の電話番号と同じ電話番号を新携帯電話機３へ書き込む（Ｓ２１５）。これらの処理が正に常終了した後に、機種変更受付部５に対して終了通知を行う（Ｓ２１６）。
【００３１】
次いで、機種変更受付部５は、今までに取得した現携帯電話機２の製造番号１１及び新携帯電話機３の製造番号１３をパラメータとして（Ｄ９０）、メモリデータ移行プログラム選択部９を起動する。Ｓ２１では、パラメータとして渡された現携帯電話機２の製造番号１１及び新携帯電話機３の製造番号１３を使用して携帯電話機固有情報ＤＢ２を検索し、現携帯電話機２及び新携帯電話機３の機種名を取得する（Ｄ１００）。
【００３２】
取得した機種名を検索キーとして配信プログラム格納ＤＢ３を検索し、現携帯電話機２から新携帯電話機３へメモリデータを移行するプログラムを取得し（Ｄ１１０）、現携帯電話機へ送信する（Ｓ２１８）。現携帯電話機２に送信されたメモリデータ移行プログラムは、現携帯電話機２内の記憶部（メモリ）に記憶されているデータ（電話帳データやメール情報、壁紙や着信音など、ユーザが同じである場合に携帯電話機から別の携帯電話機に移行可能なデータ）を新携帯電話機３内の記憶部（メモリ）に書込み（Ｓ２１９）、正常終了後に、その結果を機種変更受付部５に通知する（Ｓ２２０）。
【００３３】
現携帯電話機２から機種変更処理終了通知（Ｓ２２０）を受信した機種変更受付部５は、交換機４へ電話番号の切替依頼を行い（Ｓ２２１）、切替要求を受けた交換機４は、現携帯電話機２の電話番号を新携帯電話機３へ切り替える処理を行い（Ｓ２２２）、結果を機種変更受付処理５へ通知する（Ｓ２２３）。電話番号の切り替え処理により、現携帯電話機２からの通話は不可能となり（Ｓ２２４）、その代わりに新携帯電話機３における通話が可能となる（Ｓ２２５）。この間のタイムラグがほとんど無いため、ユーザは携帯電話機を使えない期間が極めて短いという特徴を有する。機種変更受付部５は、機種交換処理終了をメール等により新携帯電話機３へ通知し（Ｓ２２６）、機種変更処理は終了する。尚、本機種変更処理に係る機種変更手数料は例えば現携帯電話機２の通話料金請求先へ請求される。
【００３４】
以上に説明したように、本発明の実施の形態による携帯電話機機種交換システムによれば、機種交換が可能な携帯電話機を入手したユーザは、携帯電話網事業者の代理店等に出向かなくても、現在使用している携帯電話機が通話可能な範囲であれば、時と場所とを選ばずに機種交換を行うことが可能となり、かつ、移行にともなるタイムラグもほとんどないため、ユーザの利便性を極めて高くすることが出来る。また、自由度の高い機種交換方法が提供されることにより、ユーザの機種交換意欲も高まり、携帯電話機の流通も活発になる。
【００３５】
また、プログラムの携帯電話機上での実行時や通信時において、携帯電話機固有の識別情報を使用した暗号化を行うことにより、携帯電話機の識別情報や機種交換に当たっての処理の秘匿性を高めることが可能となる。
【産業上の利用可能性】
【００３６】
本発明は、携帯電話の機種交換システム又は機種交換サービスに適用することができる。機種交換の方法をコンピュータに実行させるためのプログラムにも適用することができる。
【図面の簡単な説明】
【００３７】
【図１】本発明の一実施の形態による機種変更システムの概略構成を示すブロック図である。
【図２Ａ】本発明の一実施の形態による機種変更システムの動作を示すフローチャート図である。
【図２Ｂ】本発明の一実施の形態による機種変更システムの動作を示すフローチャート図である。
【図３】本発明の一実施の形態による契約者情報を格納するテーブルのデータ構成例を示す図である。
【図４】本発明の一実施の形態による移動機固有情報を格納するテーブルのデータ構成例を示す図である。
【図５】本発明の一実施の形態による配信プログラムを格納するテーブルのデータ構成例を示す図である。
【符号の説明】
【００３８】
１…機種変更受付端末、２…現携帯電話機、３…新携帯電話機、４…交換機、５…機種変更受付部、６…機種変更依頼者承認部、７…電話番号書き込みプログラム作成部、８…新携帯電話機確認部、９…メモリデータ移行プログラム選択部、１１…現携帯電話機の製造番号、１２…現携帯電話機の鍵情報、１３…新携帯電話機の製造番号、１４…新携帯電話機の鍵情報、２０…携帯電話機の機種変更を行うユーザ、３０…現携帯電話機と新携帯電話機を接続するケーブル、１００…公衆ネットワーク、１１０…機種変更受付端末と交換機を接続する携帯電話網事業者の内部ネットワーク。
【図１】
2006050427.tif 000003
【図２Ａ】
2006050427.tif 000004
【図２Ｂ】
2006050427.tif 000005
【図３】
2006050427.tif 000006
【図４】
2006050427.tif 000007
【図５】
2006050427.tif 000008